(57)【要約】【課題】  ラベルを容易に分離して伝票等に貼り付けることを可能とし、低コスト化を図ることのできる識別ラベル及びそれを貼付した検体容器を提供することを目的とする。【解決手段】  識別ラベル１００は、ミシン目１０１により分離可能な状態にあるラベル１０２ａとラベル１０２ｂを含んでいる。このラベル１０２ａとラベル１０２ｂは、検体容器の識別のための識別情報が記録されている表示面を有し、その面とは反対側に粘着面が形成されている。識別ラベル１００の粘着面側にある剥離紙片１０３ａと剥離紙片１０３ｂは、識別ラベル１００を剥離紙から剥離したときに、識別ラベル１００に付着したまま抜き取られるように構成されている。剥離紙片１０３ａは、ラベル１０２ａの一部とラベル１０２ｂの一部に接し、剥離紙片１０３ｂは、ラベル１０２ｂの粘着面に接して設けられている。【選択図】  図１
2007003875.tif 000002
【特許請求の範囲】
【請求項１】
表示面と、表示面とは反対側の面に粘着面を有する識別ラベルであって、
前記粘着面により検体容器に付着可能であり、該粘着面側に第１の剥離紙片を有する第１のラベルと、
前記第１の剥離紙片と第２の剥離紙片により前記粘着面が覆われている第２のラベルとを有し、
前記第１のラベルと前記第２のラベルとは、分離可能に接合されていることを特徴とする識別ラベル。
【請求項２】
識別情報が付される表示面と該表示面とは反対側の面に粘着面を有する第１のラベルと第２のラベルとを有し、
前記第１のラベルの粘着面の一部を露出させると共に、前記第１のラベルと前記第２のラベルの粘着面に付着する第１の剥離紙片と、
前記第２のラベルの粘着面に付着する第２の剥離紙片を含み、
前記第１のラベルと前記第２のラベルとを分離したときに、前記第１の剥離紙片は前記第１のラベル側に残り、前記第２の剥離紙片は前記第２のラベルに付着していることを特徴とする識別ラベル。
【請求項３】
検体容器の識別ラベルであって、
分離可能な第１のラベルと第２のラベルを含み、
前記第１のラベルと前記第２のラベルは、識別情報が付される表示面と、該表示面とは反対側の面に粘着面を有し、
第１のラベルは、前記粘着面により検体容器などの第１の対象物に付着可能とされており、
前記第２のラベルは前記第１のラベルから分離した後に、第２の対象物に付着可能な粘着面が露出することを特徴とする識別ラベル。
【請求項４】
識別情報が付される表示面と該表示面とは反対側の面に粘着面を有し、分離可能な第１のラベルと第２のラベルを含む識別ラベルであって、
前記第１のラベルの粘着面を残存させ、該第１のラベルと第２のラベルの粘着面に付着する第１の剥離紙片と、
前記第２のラベルの粘着面に付着する第２の剥離紙片を有し、
前記第１のラベルと、前記第２のラベルとを分離したときに、前記第２のラベルの粘着面が露出するように、前記第１の剥離紙片と前記第２の剥離紙片が分離可能に設けられていることを特徴とする識別ラベル。
【請求項５】
請求項１乃至請求項４のいずれか一項において、
前記第１のラベルと前記第２のラベルとの間にミシン目が形成されていることを特徴とする識別ラベル。
【請求項６】
請求項１乃至請求項５のいずれか一項において、
前記第１のラベルと前記第２のラベルが、前記第１の剥離紙片と前記第２の剥離紙片を含んで剥離紙上に設けられていることを特徴とする識別ラベル。
【請求項７】
請求項１乃至請求項６のいずれか一項において、
前記識別情報には、バーコードを含むことを特徴とする識別ラベル。
【請求項８】
請求項１乃至請求項６のいずれか一項において、
前記第１のラベル及び前記第２のラベルの一方若しくは双方にＩＣチップを含むことを特徴とする識別ラベル。
【請求項９】
表示面と、表示面とは反対側の面に粘着面を有し、
前記粘着面により検体容器に付着可能であり、該粘着面側に第１の剥離紙片を有する第１のラベルと、
前記第１の剥離紙片と第２の剥離紙片により前記粘着面が覆われている第２のラベルとを有し、
前記第１のラベルと前記第２のラベルとは、分離可能に接合されている識別ラベルを有することを特徴とする検体容器。
【請求項１０】
識別情報が付される表示面と該表示面とは反対側の面に粘着面を有する第１のラベルと第２のラベルとを有し、
前記第１のラベルの粘着面の一部を露出させると共に、前記第１のラベルと前記第２のラベルの粘着面に付着する第１の剥離紙片と、
前記第２のラベルの粘着面に付着する第２の剥離紙片を含み、
前記第１のラベルと前記第２のラベルとを分離したときに、前記第１の剥離紙片は前記第１のラベル側に残り、前記第２の剥離紙片は前記第２のラベルに付着する識別ラベルを有することを特徴とする検体容器。
【請求項１１】
分離可能な第１のラベルと第２のラベルを含み、
前記第１のラベルと前記第２のラベルは、識別情報が付される表示面と、該表示面とは反対側の面に粘着面を有し、
第１のラベルは、前記粘着面により検体容器などの第１の対象物に付着可能とされており、
前記第２のラベルは前記第１のラベルから分離した後に、第２の対象物に付着可能な粘着面が露出する識別ラベルを有することを特徴とする検体容器。
【請求項１２】
識別情報が付される表示面と該表示面とは反対側の面に粘着面を有し、分離可能な第１のラベルと第２のラベルを含み、
前記第１のラベルの粘着面を残存させ、該第１のラベルと第２のラベルの粘着面に付着する第１の剥離紙片と、
前記第２のラベルの粘着面に付着する第２の剥離紙片を有し、
前記第１のラベルと、前記第２のラベルとを分離したときに、前記第２のラベルの粘着面が露出するように、前記第１の剥離紙片と前記第２の剥離紙片が分離可能に設けられている識別ラベルを有することを特徴とする検体容器。
【請求項１３】
請求項９乃至請求項１２のいずれか一項において、
前記検体容器の表面と、前記第２のラベルとの間には空隙部を有することを特徴とする検体容器。
【請求項１４】
請求項９乃至請求項１３のいずれか一項において、
前記識別情報には、バーコードを含むことを特徴とする検体容器。
【請求項１５】
請求項９乃至請求項１３のいずれか一項において、
前記第１のラベル及び前記第２のラベルの一方若しくは双方にＩＣチップを含む識別ラベルを有することを特徴とする検体容器。
【発明の詳細な説明】
【技術分野】
【０００１】
本発明は、文字、図形若しくは記号などの識別符号が表示された識別ラベル及びそれが付された検体容器に関する。特に、医療分野において、採取した検体の検査に用いる検体容器ラベル及び検体容器に関する。
【背景技術】
【０００２】
例えば医療分野における臨床検査において、複数の検体を保存する容器を識別するために、識別用の文字や記号若しくはバーコードなどを付したラベルが利用されている。このラベルには裏面に粘着剤が塗布されて、表面に剥離剤が塗布された剥離紙に仮着された状態で供給される。作業者はこの剥離紙からラベルを剥がし、対象となる物に貼り付けて、そのラベルを使用している。検体容器に貼り付けるラベルも同様であり、剥離紙の上に所定の形状に型抜きされたラベルが仮着されているラベルシートから、ラベルを人手作業により、または自動機によって剥がし、検体容器（真空採血管など）に貼り付けている。
【０００３】
このようなラベルが付される検体容器において、ラベルの一部を容器から外し、検査依頼書などの伝票に貼り付ける方法が知られている（例えば、特許文献１参照）。この検体容器は、他のものと識別する符号を付した二つのラベルを備えていて、ミシン目により分離され、一方は検体容器に残し、他方は検査依頼書などに貼り付けることができるようにしたものである。
【０００４】
また、容器を識別するためのラベルとして、ラベル１の表面に剥離剤を塗布するなどし、ラベル１に重ねるかたちでラベル２を粘着させておき、これを剥がして伝票に貼るという方法も提案されている（例えば、特許文献２参照）。このラベルは、第１のラベルを検体容器の外周に付着させ、第２のラベルは第１のラベル上に剥離可能に貼り付けられている。第２のラベルは、その中央一側端部に容器の周囲方向に突出する舌状部が備えられている。この舌状部を掴んで持ち上げることで剥離作業を容易なものとしている。
【０００５】
その他にも、識別情報が付された検体容器用のラベルにおいて、一部の領域を必要時にラベル貼り付け容器から分離除去可能としたものが知られている（例えば、特許文献３参照）。このラベルは、固着部と切り取り部（分離除去可能部）を有していて、切り取り部は管理帳票に貼り付けることを可能としている。
【特許文献１】実開平１−１３２９６６号公報（第１図〜第６図）
【特許文献２】特開平１１−１６１１７６号公報（第３頁、第１図）
【特許文献３】特開２００３−９８９６７号公報（第６頁、第１図）
【発明の開示】
【発明が解決しようとする課題】
【０００６】
検体容器に貼り付けられたラベル１とラベル２とを、ミシン目に沿って分離する検体容器ラベルは、一見したところ構造も簡単で利便性が高いように思われる。しかしながら、実際には検体容器からの剥がれ事故防止のため非常に強力な粘着剤が使用されており、ラベル１とラベル２を分離するためにラベル２を剥がそうとすると、ラベルそのものを破損してしまうことがあった。ラベルの素材を普通の紙ではなく破損しないような強靭なものに変更することもできるが、その場合にはコストがかかってしまうという問題点があり、現実的な解決手段とはなり得なかった。
【０００７】
このように、従来の分離可能なラベルを用いて、分離したラベルを伝票に貼り付ける作業を確実に行なうことは、困難な状況にあった。
【０００８】
また、検体容器に固着させるラベル１の表面に剥離剤を塗布するなどし、ラベル１に重ねるかたちで剥離可能にラベル２を粘着させたラベルでは、ラベル１とラベル２を重ね合わせた二重構造の特殊なラベルとなってしまうことや、ラベル２に舌状部を設けなければならず、やはりコストが高くついてしまうといった問題があった。
【０００９】
そこで、本発明はこのような問題点を解決し、ラベルを容易に分離して、伝票等に貼り付けることを可能とする識別ラベルを提供することを目的とする。また、そのような識別ラベルのコストを低減することを目的とする。さらに本発明は、容易に分離可能な識別ラベルを付した検体容器を提供することを目的とする。
【課題を解決するための手段】
【００１０】
本発明の識別ラベルは、分離可能に接合された複数のラベルを含んでいる。そのラベルの一方の面には、識別情報が付される表示面が形成され、他方の面には粘着剤が塗られた粘着面を備えている。その粘着面によりラベルは、検体容器などの物品に付着可能とされている。このとき、分離される側のラベルの粘着面は、検体容器などの物品と粘着しないように非粘着性のシートで覆われている。そして、検体容器などの物品に付着している複数のラベルの一つを分離したときに、その分離されたラベルの裏面に粘着面が露出するように構成されている。
【００１１】
すなわち、本発明は、表示面と、表示面とは反対側の面に粘着面を有する識別ラベルであって、粘着面により検体容器に付着可能であり、該粘着面側に第１の剥離紙を有する第１のラベルと、第１の剥離紙片と第２の剥離紙片により粘着面が覆われている第２のラベルとを有し、第１のラベルと第２のラベルとは、分離可能に接合されている識別ラベルである。
【００１２】
また、本発明は、識別情報が付される表示面と該表示面とは反対側の面に粘着面を有する第１のラベルと第２のラベルとを有し、第１のラベルの粘着面の一部を露出させると共に、第１のラベルと前記第２のラベルの粘着面に付着する第１の剥離紙片と、第２のラベルの粘着面に付着する第２の剥離紙片を含み、第１のラベルと前記第２のラベルとを分離したときに、第１の剥離紙片は前記第１のラベル側に残り、第２の剥離紙片は前記第２のラベルに付着している識別ラベルである。
【００１３】
また、本発明は、検体容器の識別ラベルであって、分離可能な第１のラベルと第２のラベルを含み、第１のラベルと前記第２のラベルは、識別情報が付される表示面と、該表示面とは反対側の面に粘着面を有し、第１のラベルは、該粘着面により検体容器などの第１の対象物に付着可能とされており、第２のラベルは第１のラベルから分離した後に、第２の対象物に付着可能な粘着面が露出する識別ラベルである。
【００１４】
また、本発明は識別情報が付される表示面と該表示面とは反対側の面に粘着面を有し、分離可能な第１のラベルと第２のラベルを含む識別ラベルであって、第１のラベルの粘着面を残存させ、該第１のラベルと第２のラベルの粘着面に付着する第１の剥離紙片と、第２のラベルの粘着面に付着する第２の剥離紙片を有し、第１のラベルと、第２のラベルとを分離したときに、第２のラベルの粘着面が露出するように、第１の剥離紙片と第２の剥離紙片が分離可能に設けられている識別ラベルである。
【００１５】
識別ラベルの表示面に付される識別情報は、目視で認識可能な表示手段や、印刷された符号を光学的手段によりコンピュータが情報を読み取って識別する手段により構成することができる。例えば、文字、記号、図形、若しくは光学的に読み取り可能なバーコードなど任意の組み合わせにより構成されている。バーコードとしては、一次元バーコード、二次元バーコードなど光学的に読み取り可能なものであればその種類に限定されない。表示面には、筆記用具による記入面を含んでいても良い。また、これらの手段に替えて、電磁的手段によりコンピュータが情報を読み取って識別する手段により構成することもできる。例えば、無線通信により情報の送受信が可能なＩＣチップを識別ラベルに含ませることもできる。
【００１６】
本発明の検体容器は、分離可能に接合された複数のラベルを含む識別ラベルが貼付されたものであり、当該識別ラベルは、少なくとも上記特徴の一を備えている。
【発明の効果】
【００１７】
分離可能な第１のラベルと第２のラベルを含み、それらのラベルと型抜きされた第１の剥離紙片と第２の剥離紙片を組み合わせて、第１のラベルと第２のラベルとを分離したときに、第２のラベルの粘着面が露出するように構成することで、検体容器等に識別ラベルが付着した状態でも、ラベルを容易に分離して、伝票等に貼り付けることが可能となる。この場合、それぞれの離紙片は、第１のラベル若しくは第２のラベルに残されるので、不要なゴミの発生を無くすことができる。
【００１８】
この識別ラベルは、剥離紙片の型抜きという工程がひとつ加わるだけなのでコスト上昇を抑えることができる。
【００１９】
また、このような識別ラベルが付された検体容器は、上記したものと同様の効果を得ることができると共に、臨床検査などの作業効率を向上させることができる。
【発明を実施するための最良の形態】
【００２０】
本発明の実施の形態について、以下、図面を参照して説明する。但し、本発明は多くの異なる態様で実施することが可能であり、以下に示す実施の形態の記載内容に限定して解釈されるものではない。なお、本実施の形態及び実施例１〜４で参照する図面において、同一部分又は同様な機能を有する部分には同一の符号を付し、その繰り返しの説明は省略する。
【００２１】
図１に本実施の形態に係る識別ラベル１００の態様を示す。図１において、（Ａ）は識別ラベルの正面と裏面に剥離紙片が付される態様を、（Ｂ）は正面図に付した切断線Ａ−Ｂに対応する断面図を、（Ｃ）は切断線Ｃ−Ｄに対応する断面図をそれぞれ示し、同一要素は符号を共通なものとして付している。以下の説明では、図１（Ａ）〜（Ｃ）を参照しながら説明をする。
【００２２】
識別ラベル１００は、分離可能な複数のラベルを含んでいる。図１で示す分離可能な状態にあるラベル１０２ａとラベル１０２ｂは、ミシン目１０１などにより接合されている。このラベル１０２ａとラベル１０２ｂは、文字、数字、記号若しくは図形などのよって検体容器を識別するための識別情報が記録されている表示面を有し、その面とは反対側の面に粘着面が形成されている。
【００２３】
識別情報は検体容器を識別するための情報を含み、文字、数字、記号及び図形から選ばれた一種若しくは複数種の組み合わせで構成されている。また、光学的に読み取り可能なバーコードを含んでいても良い。バーコードとしては、一次元バーコード、二次元バーコードなどその種類や規格に限定事項はない。さらに、表示面には、筆記用具による記入面を含んでいても良い。また、これらの手段に替えて、電磁的手段によりコンピュータが情報を読み取って識別する手段により構成することもできる。例えば、無線通信により情報の送受信が可能なＩＣチップを識別ラベルに含ませることもできる。
【００２４】
識別ラベル１００の粘着面側には剥離紙が付されていて、その剥離紙を剥がすことで識別ラベルの裏面にある粘着面が露出する。その粘着面により、識別ラベル１００を検体容器など所定の対象物に付着させることができる。粘着面は粘着剤１０４を塗布することにより形成されている。粘着剤１０４としては、例えば、圧力感受性粘着剤を用いると、識別ラベル１００を複数回の脱着を可能とすることができる。識別ラベル１００に含まれるラベル１０２ａとラベル１０２ｂは同時に剥離紙から剥がすことができるような強度をもって接合されている。
【００２５】
識別ラベル１００の粘着面側にある剥離紙片１０３ａと剥離紙片１０３ｂは、剥離紙を型抜きして得られている。剥離紙片１０３ａと剥離紙片１０３ｂは、識別ラベル１００を剥離紙から剥離したときに、識別ラベル１００に付着したまま抜き取られるように構成されている。すなわち、識別ラベル１００を剥離紙から剥離するときに、剥離紙片１０３ａと剥離紙片１０３ｂは、識別ラベル１００側に付着した状態を維持している。剥離紙片１０３ａは、識別ラベル１００の粘着面側であって、ラベル１０２ａの一部と、ラベル１０２ｂの一部に接する状態を保っている。また、剥離紙片１０３ｂは、ラベル１０２ｂの粘着面に接して設けられている。
【００２６】
剥離紙から識別ラベル１００を剥がした状態では、ラベル１０２ａの裏面の一部に粘着面が露出する状態となり、この粘着面により検体容器などの所定の対象物に付着させることができる。
【００２７】
ラベル１０２ａとラベル１０２ｂとは、ミシン目１０１によりラベル１０２ａが対象物に固着されている状態でも容易に分離可能とされている。ミシン目１０１は、ラベルシートを貫通するような細い不連続のスリット孔で形成されている。このミシン目１０１の端は切れていても良いし、繋がっていても良い。この場合、図１中に示す切断線Ａ−Ｂ方向と平行な方向のミシン目はタイトにし、切断線Ｃ−Ｄ方向と平行な方向のミシン目は弱くして切れ易くしておくと良い。ミシン目１０１をこのように構成しておくと、検体容器に巻着したときに、不用意にラベル１０２ｂが剥がれてしまうことを防止でき、作業者が意図的にラベル１０２ｂを剥がすときには、それを容易に行なうことができる。勿論、ミシン目１０１は、ラベルシートを貫通するような細い不連続のスリット孔で形成されるものでなくても、ラベル１０２ａとラベル１０２ｂを接合させ、それを作業者が容易に分離できるような切れ込みなどで、同様な機能を発現させるように構成されるものであっても良い。
【００２８】
剥離紙から剥がされた識別ラベル１００において、ラベル１０２ｂの裏面は、剥離紙片１０３ａと剥離紙片１０３ｂとで覆われている。そのため、検体容器に識別ラベル１００を付着させた状態でも、ラベル１０２ｂの粘着面は検体容器に接しないので、ミシン目１０１を利用して容易にラベル１０２ａから分離することができる。
【００２９】
識別ラベル１００のミシン目１０１に沿ってラベル１０２ａとラベル１０２ｂを分離した状態では、剥離紙片１０３ａはラベル１０２ａ側に残ることになる。そして、ラベル１０２ｂは、表示面の反対側であって、剥離紙片１０３ａが付着していた領域の粘着面が露出する。ラベル１０２ｂは、この露出した粘着面により、検査依頼票やカルテなどの伝票類に付着させることができる。また、剥離紙片１０３ｂが残っているので、その部分を持って作業を行なうことができる。それにより、分離と貼り付けの作業を容易に行なうことができる。さらに、伝票類にラベル１０２ｂを貼り付けるときに、剥離紙片１０３ｂを剥がしてしまうこともでき、残りの粘着面が露出させて、より確実に伝票に添付することができる。
【００３０】
識別ラベル１００は、医療機関等において、作業者が自ら検体容器に貼り付けても良いし、検体容器の供給者が、予め当該検体容器に貼り付けた状態で供給しても良い。
【００３１】
このように、本実施の形態に係る識別ラベル１００は、剥離紙を所定の形状に型抜きし、ラベルをラベルシートから剥離したときに、型抜きされた剥離紙片がラベルの裏面に貼り付いた状態で検体容器に貼り付けることで実現している。この場合、剥離紙片の型抜きという工程がひとつ加わるだけなのでコスト上昇は僅かで済むという利点を備えている。
【実施例１】
【００３２】
本実施例は、図２〜図６を参照して、分離可能な二つのラベルを含む識別ラベルについて説明する。
【００３３】
図２において、（Ａ）は識別ラベル１００を示し、（Ｂ）は剥離紙１０５の態様を示している。図２（Ａ）に示す識別ラベル１００は、識別情報が記録される表示面から見た状態を示し、ラベル１０２ａとラベル１０２ｂが一対となって設けられている。ラベル１０２ａとラベル１０２ｂは、ミシン目１０１によって分離可能な状態に接合されている。
【００３４】
図２（Ａ）の識別ラベル１００の裏面（表示面とは反対側の面）は粘着剤によって形成される粘着面となっている。この識別ラベルは、検体容器等に付着される前の段階では、図２（Ａ）の識別ラベル１００と図２（Ｂ）の剥離紙１０５とが重ね合わせて提供される。
【００３５】
図２（Ｂ）に示す剥離紙１０５は、識別ラベル１００の裏面に設けられた粘着面と脱着可能なもので形成されている。例えば、剥離紙１０５の表面に剥離剤を塗布して、識別ラベル１００の粘着面と剥離紙１０５とを一時的に粘着させておき、僅かな力によって、識別ラベル１００を剥離紙１０５から容易に剥離できるようにされている。
【００３６】
剥離紙１０５は、識別ラベル１００におけるラベル１０２ａとラベル１０２ｂの配置に合わせて、剥離紙片１０３ａと剥離紙片１０３ｂとが型抜きされている。この型抜きは、識別ラベル１００を剥離紙１０５から剥がしたときに、識別ラベル１００側に付着したままの状態を維持して、抜き取られるように切れ込み等で構成されている。
【００３７】
図３はラベルシートと剥離紙を組み合わせて識別ラベル１００を得るまでの工程を示している。図３（Ａ）で示す剥離紙１０５は、剥離紙片１０３ａと剥離紙片１０３ｂが連続して型抜かれている。また、図３（Ｂ）で示すように、ラベルシート１０６には識別ラベル１００が型抜かれている。識別ラベル１００に含まれるラベル１０２ａとラベル１０２ｂは、ミシン目で接合されている。このラベルシート１０６の裏面には粘着剤が塗布されていて粘着面が形成されている。実際には表面にラベルシート１０６、裏面に剥離紙１０５が粘着された状態で型抜きが実施され、両面の型抜きが完了し、ラベル面の不要部分を除去した状態が図３（Ｃ）に示されている。このラベルシート１０６と剥離紙１０５は、長尺なものとして、識別ラベル１００を複数個連続して含ませることもできる。
【００３８】
図３（Ｃ）で示すラベルシートから１枚の識別ラベル１００を剥離したものを図４（Ａ）（Ｂ）に示す。図４において、（Ａ）は正面から見た形態を、（Ｂ）は裏面から見た形態をそれぞれ示している。従来のラベルシートでは、剥離紙上にある識別ラベルのみが剥離される。しかし、本実施例に係る識別ラベル１００は、剥離紙１０５が型抜きされているので、ミシン目１０１で接合されているラベル１０２ａとラベル１０２ｂと共に、型抜きされた剥離紙片１０３ａと１０３ｂが粘着した状態で剥離紙から分離されている。
【００３９】
この場合、剥離紙片１０３ａは、ラベル１０２ａとラベル１０２ｂの一部に粘着して、剥離紙から抜き取られている。また、剥離紙片１０３ｂは、ラベル１０２ｂの一部に粘着して抜き取られている。この場合、図４（Ｂ）の表示にあるように、ラベル１０２ｂの粘着面は、剥離紙片１０３ａと剥離紙片１０３ｂによって覆われた状態となっている。一方、ラベル１０２ａの粘着面において、剥離紙片１０３ａに覆われていない部分は粘着剤１０４が塗られた粘着面が露出して、その部分を利用して検体容器に識別ラベル１００を付着させるようにできている。
【００４０】
このような識別ラベル１００を検体容器１０７に貼り付けた状態を図５に示す。図５において、（Ａ）は識別ラベルを検体容器に貼り付けた状態を、（Ｂ）は切断線Ａ−Ｂに対応する識別ラベルの断面をそれぞれ示している。検体容器１０７としてはさまざまなものが適用可能であるが、代表的には試験管などが用いられる。紙基材若しくはプラスチック基材などで形成される識別ラベル１００と、剥離紙片１０３ａ、１０３ｂには弾性があるので、試験管のように曲面のある検体容器１０７に貼り付けると、剥離紙片１０３ａ、１０３ｂによって検体容器１０７に粘着しないラベル１０２ｂの端は、検体容器１０７の表面から少し浮いた状態となる。すなわち、図５（Ａ）で示すように、ラベル１０２ｂが検体容器１０７から浮き上がって、少しの空隙が生じさせることができる。
【００４１】
検体容器１０７と、ラベル１０２ｂの間に空隙があると、ラベル１０２ｂを検体容器１０７から取り外すときに、指の先や爪が入りやすく、取り外しを容易にすることができる。このように、ラベル１０２ｂを検体容器１０７から取り外し容易とすることで検査分析作業における作業効率を向上させることができる。
【００４２】
なお、識別ラベル１００を付した検体容器１０７としては、このような態様で、需要者に供給することができる。
【００４３】
図６（Ａ）で示すように、検体容器１０７に付着された識別ラベル１００は、ラベル１０２ａとラベル１０２ｂが一体化されている。ラベル１０２ｂと剥離紙片１０３ｂの片隅をつまんで持ち上げると、図６（Ｂ）で示すように、ミシン目１０１に沿ってラベル１０２ｂがラベル１０２ａから分離される。前述のようにラベル１０２ｂと検体容器１０７の間には、剥離紙片１０３ａと剥離紙片１０３ｂがある。これらの剥離紙片１０３ａ、１０３ｂにより、ラベル１０２ｂは検体容器１０７とは粘着していないので、この分離作業は容易に行うことができる。このとき、剥離紙片１０３ａはその一部がラベル１０２ａにも粘着された状態にあるため、ラベル１０２ｂを分離した後も検体容器１０７側に残される。一方、剥離紙片１０３ｂは、ラベル１０２ｂと共に分離される。ラベル１０２ｂの剥離紙片１０３ａが付着していた部分は、粘着表面が露出した状態となる。
【００４４】
図６（Ｃ）で示すように、分離されたラベル１０２ｂは、裏面に露出した粘着面によって、検査依頼票などの伝票類１０８に貼り付けることができる。この一連の作業で剥離紙片１０３ａは検体容器１０７側に残り、剥離紙片１０３ｂはラベル１０２ｂと共に伝票類１０８に残るので、ゴミとしての剥離紙片が発生することが無い。それにより、後片付けが不要となることで作業性効率向上に貢献することができる。
【実施例２】
【００４５】
識別ラベル１００において、互いに分離されるラベル１０２ａとラベル１０２ｂの配置は、利用形態に応じて適宜変更することができる。図７は、実施例１とは異なる識別ラベル１００の態様を示し、ラベル１０２ｂがラベル１０２ａの片側一方に配置されている。図７において、（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を示している。以下の説明では、図７（Ａ）〜（Ｃ）を参照しながら説明をする。
【００４６】
この場合も、ラベル１０２ａとラベル１０２ｂはミシン目１０１により分離可能に設けられている。剥離紙片１０３ａは、ラベル１０２ａとラベル１０２ｂに接して設けられている。剥離紙片１０３ｂは、ラベル１０２ｂの片隅に配置されていても良く、検体容器に識別ラベル１００を貼り付けた状態でも、この部分をつまんでラベル１０２ｂを分離することができる。
【００４７】
図７で示す識別ラベル１００は、曲面を有する検体容器は勿論のこと、箱形のような平坦表面を有する検体容器に貼り付けた場合でも、識別ラベル１００の角部が粘着せずに浮いた状態となっているので、ラベル１０２ｂを容易に分離することができる。また、実施例１と同様に、作業効率を向上させ、剥離紙片が散乱するなどゴミの発生を抑制することができる。
【実施例３】
【００４８】
図８は、ラベル１０２ｂをラベル１０２ａの内側に配置した識別ラベル１００の態様を示している。なお、図８において、（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を示している。以下の説明では、図８（Ａ）〜（Ｃ）を参照しながら説明をする。
【００４９】
図８で示す識別ラベル１００も、ラベル１０２ｂがミシン目１０１によりラベル１０２ａと分離可能に設けられている。剥離紙片１０３ａは、ラベル１０２ａとラベル１０２ｂに接して設けられている。
【００５０】
識別情報が付される識別ラベル１００は、バーコードなどを記載する場合に、ある一定の大きさが要求される場合がある。この場合、検体容器の外周に識別ラベル１００を貼り付けると、検体容器に巻回すことでラベル１０２ａの一方端部と他方の端部が重なってしまう場合がある。しかし、図８で示す識別ラベル１００は、ラベル１０２ａの内側にラベル１０２ｂが設けられている。識別ラベル１００と剥離紙片１０３ａ、１０３ｂは弾性があるので、試験管のように曲面のある検体容器に巻回した状態でもラベル１０２ｂを持ち上げて容易に分離することができる。また、少なくとも剥離紙片１０３ａを透明なものとすれば、検体容器における内容物を目視で確認することもできる。
【実施例４】
【００５１】
図９は、識別ラベル１００に無線により情報の読み取り、及び／又は、書き込みが可能なＩＣチップ１０９を組み入れた態様を示している。ＩＣチップ１０９はラベル１０２ａとラベル１０２ｂの一方若しくは双方に組み入れることができる。ＩＣチップ１０９を識別ラベル１００に組み入れることで、バーコードなどの識別符号よりも大量の情報をこのラベルに含ませることができる。その他の構成は、実施例１と同様な特徴を備えている。
【実施例５】
【００５２】
本実施例は、剥離紙の型抜きを行なわなくても、複数のラベルを容易に分離可能な識別ラベルの構成について図１０を参照して説明する。
【００５３】
図１０で示す識別ラベル２００には、ラベル２０２ａとラベル２０２ｂが含まれている。このラベル２０２ａとラベル２０２ｂはミシン目２０１によって分離可能に接合されている。そして、識別ラベル２００の裏面には、粘着力の異なる複数の粘着剤が付されている。
【００５４】
検体容器に残るラベル２０２ａの裏面には粘着力の強い接着剤を塗布した粘着領域２０３を設け、後で分離するラベル２０２ｂの裏面には比較的接着力の弱い接着剤を塗布した粘着領域２０４を設けておく。接着強度の違いは、接着剤の材質を異ならせても良いし、同じ接着剤を用い、ラベル２０２ｂの裏面にはストライプ状に塗るなどして、塗布する面積を異ならせても良い。ラベル２０２ｂの右端には、剥がしやすいように糊を塗らない非粘着領域２０５を設けても良い。この非粘着領域２０５により、識別ラベル２００の端部が検体容器に粘着しないので、その部分をつまんで、ラベル２０２ｂを容易に剥離することができる。
【００５５】
また、識別ラベル２００を貼り付ける対象物の特性を考慮して、接着剤を選択しても良い。すなわち、ラベル２０２ａの裏面の接着領域２０３には検体容器（素材は主にプラスチック）に強力に粘着する粘着剤を塗り、ラベル２０２ｂの裏面の接着領域２０４にはプラスチックに対しては粘着力が弱く、紙に対しては十分な粘着力を持つ粘着剤を塗っても良い。
【００５６】
このような識別ラベルの構造であれば、剥離紙片の型抜きという工程を省略することができる。
【産業上の利用可能性】
【００５７】
以上、説明した通り、本発明に係る識別ラベルは、検体容器に付して有効に使用することができる。このような用途の他にも、本発明はさまざまな用途に適用することができる。すなわち、ある特定の対象物に識別ラベルを付した後に、そのラベルを複数に分離して、他の対象物に貼付して、両者の対応関係を参照することが必要な用途に応用することができる。例えば、航空旅客が旅客機に搭乗する前に預け入れる手荷物にはタグが付され、その半券が旅客に渡されている。この場合、当該タグに本発明と同様の構成を適用することができる。それにより、旅客にタグの半券を渡すときにもゴミを出さずに済み、作業効率を向上させることができる。
【図面の簡単な説明】
【００５８】
【図１】本発明に係る識別ラベルの態様を示す図である。（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を、それぞれ示す。
【図２】実施例１に係る識別ラベルの形態を示す図である。（Ａ）は識別ラベルの表示面を、（Ｂ）は剥離紙と型抜きされた剥離紙片を、それぞれ示す。
【図３】実施例１に係る識別ラベルの形態を示す図である。（Ａ）は剥離紙と型抜きされた剥離紙片を、（Ｂ）はラベルシートを、（Ｃ）は剥離紙とラベルシートを重ね合わせた状態を、それぞれ示す。
【図４】実施例１に係る識別ラベルの形態を示す図である。（Ａ）は正面から見た形態を、（Ｂ）は裏面から見た形態を、それぞれ示す。
【図５】実施例１において、識別ラベルが付された検体容器を示す図である。（Ａ）は識別ラベルを検体容器に貼り付けた状態を、（Ｂ）は切断線Ａ−Ｂに対応する識別ラベルの断面を、それぞれ示す。
【図６】実施例１において、識別ラベルが付された検体容器からラベルを分離する態様を示す図である。（Ａ）は識別ラベルを検体容器に貼り付けた状態を、（Ｂ）はラベルを分離した状態を、（Ｃ）は分離したラベルを伝票類に貼り付けた状態を、それぞれ示す図である。
【図７】実施例２に係る識別ラベルの態様を示す図である。（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を、それぞれ示す。
【図８】実施例３に係る識別ラベルの態様を示す図である。（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を、それぞれ示す。
【図９】実施例４に係る識別ラベルの態様を示す図である。（Ａ）は識別ラベルの正面と裏面に剥離紙片が付される態様を、（Ｂ）は切断線Ａ−Ｂに対応する断面図を、（Ｃ）は切断線Ｃ−Ｄに対応する断面図を、それぞれ示す。
【図１０】実施例５に係る識別ラベルの形態を示す図である。（Ａ）は正面から見た形態を、（Ｂ）は裏面から見た形態を、それぞれ示す。
【符号の説明】
【００５９】
１００  識別ラベル
１０１  ミシン目
１０２ａ、１０２ｂ  ラベル
１０３ａ、１０３ｂ  剥離紙片
１０４  粘着剤
１０５  剥離紙
１０６  ラベルシート
１０７  検体容器
１０８  伝票類
１０９  ＩＣチップ
２００  識別ラベル
２０１  ミシン目
２０２ａ、２０２ｂ  ラベル
２０３、２０４  粘着領域
２０５  非粘着領域
【図１】
2007003875.tif 000003
【図２】
2007003875.tif 000004
【図３】
2007003875.tif 000005
【図４】
2007003875.tif 000006
【図５】
2007003875.tif 000007
【図６】
2007003875.tif 000008
【図７】
2007003875.tif 000009
【図８】
2007003875.tif 000010
【図９】
2007003875.tif 000011
【図１０】
2007003875.tif 000012